(57)【要約】【課題】  再生中のコンテンツの内容に応じてコンテンツの出力態様を変化させる。【解決手段】  選局指定されている放送コンテンツについての番組情報ＰＧＩ、運転者の視聴履歴情報ＶＨＩ、運転者の番組検索情報ＳＨＩ、視聴率情報ＶＲＩ及び放送コンテンツの映像のシーンチェンジの検出報告ＡＳＤの解析結果に基づいて、処理制御部１９３が、現在選局指定されている放送コンテンツが運転者に興味を持たせるコンテンツであるかを評価する。そして、運転者の放送コンテンツに対する興味の程度を示すレベルが高いと評価した場合には、処理制御部１９３は、放送コンテンツデータＢＣＤの音声データ及び映像データの双方の出力を停止する旨の選択指令ＳＬＣを生成して、切替ユニット１４０へ送る。【選択図】  図３
2017175549.tif 000002
【特許請求の範囲】
【請求項１】
再生中のコンテンツの属性を取得する属性取得部と；
前記属性に基づいて再生中のコンテンツが運転者に興味を持たせると評価される場合に、前記コンテンツの出力態様を変更させる制御を行う制御部と；
を備えることを特徴とする再生装置。
【請求項２】
前記属性取得部により取得された前記属性が、前記運転者に興味を持たせる属性であるか否かを評価する属性評価部を更に備え、
前記制御部は、前記属性評価部により前記属性が前記運転者に興味を持たせる属性であると評価されたときには、前記コンテンツの映像及び音声の少なくとも一方の出力態様を抑制させる制御を行う、
ことを特徴とする請求項１に記載の再生装置。
【請求項３】
前記属性評価部は、前記属性取得部による取得結果に基づいて、前記コンテンツが前記運転者に興味を持たせる程度を評価し、
前記制御部は、前記興味を持たせる程度が高いほど、前記出力態様を抑制の度合いを強くさせる制御を行う、
ことを特徴とする請求項２に記載の再生装置。
【請求項４】
前記運転者の負荷に関する運転状況を取得する状況取得部と；
前記状況取得部により取得された前記運転状況が、前記運転者の負荷が高い状況であるかを評価する状況評価部と；を更に備え、
前記制御部は、
前記属性評価部により前記再生中のコンテンツが前記運転者に興味を持たせないと評価された場合であっても、前記状況評価部により前記運転状況が前記運転者の負荷が高い運転状況であると評価されたときに、前記コンテンツの映像及び音声の少なくとも一方の出力態様を抑制させる制御を行う、
ことを特徴とする請求項２又は３に記載の再生装置。
【請求項５】
前記状況評価部は、前記状況取得部による取得結果に基づいて、前記運転者の負荷の程度を評価し、
前記制御部は、前記負荷の程度が高いほど、前記出力態様を抑制の度合いを強くさせる制御を行う、
ことを特徴とする請求項４に記載の再生装置。
【請求項６】
前記コンテンツのデータを記録する記録部を更に備え、
前記制御部は、
前記コンテンツの映像及び音声の少なくとも一方の出力態様を抑制している期間のコンテンツのデータを前記記録部に記録させ、    
前記出力態様の抑制を行っていない期間に、前記記録部に記録した前記コンテンツのデータをタイムシフト再生させる制御を行う、
ことを特徴とする請求項１〜５のいずれか一項に記載の再生装置。
【請求項７】
属性取得部と、制御部とを備える再生装置において使用される再生方法であって、
前記属性取得部が、再生中のコンテンツの属性を取得する属性取得工程と；
前記制御部が、前記属性に基づいて再生中のコンテンツが運転者に興味を持たせると評価される場合に、前記コンテンツの出力態様を変更させる制御を行う制御工程と；
を備えることを特徴とする再生方法。
【請求項８】
再生装置が有するコンピュータに、請求項７に記載の再生方法を実行させる、ことを特徴とする再生プログラム。
【請求項９】
再生装置が有するコンピュータにより読み取り可能に、請求項８に記載の再生プログラムが記録されている、ことを特徴とする記録媒体。
【発明の詳細な説明】
【技術分野】
【０００１】
本発明は、再生装置、再生方法、再生プログラム、及び、当該再生プログラムが記録された記録媒体に関する。
【背景技術】
【０００２】
従来から、車両等の移動体の多くに地上デジタル放送を受信して再生する放送受信装置が配置されている。かかる放送受信装置を利用することにより、車両等の移動体の搭乗者が、娯楽番組の放送コンテンツを楽しんだり、ニュース番組の放送コンテンツから情報を得ることができるようになっている。
【０００３】
ところで、車両内においてテレビ放送番組のコンテンツを再生することは、運転者の運転操作に影響を与える一要因となることがある。そこで、車両内におけるコンテンツの再生方法について、運転者の運転操作に与える影響を少なくするように配慮した技術が提案されている。
【０００４】
こうした提案技術の一つとして、運転者の運転負荷に着目し、運転負荷に応じて、運転中におけるコンテンツの出力を抑制する技術がある（特許文献１参照：以下、「従来例」と呼ぶ）。この従来例の技術では、運転者の運転状況を取得し、例えば、車両が交差点付近を走行している状況では、運転者の運転負荷が高いと推定する。そして、運転者の運転負荷が高いときには、再生中のコンテンツの情報出力を中止して、当該コンテンツの情報を記憶装置に記憶する。その後、運転者の運転負荷が低くなった状況で、記憶装置に記憶したコンテンツの情報を出力するようにしている。
【先行技術文献】
【特許文献】
【０００５】
【特許文献１】特開２００２−８７１１１号公報
【発明の概要】
【発明が解決しようとする課題】
【０００６】
上述した従来例では、運転者の運転負荷が高いと推定される場合に、運転者の運転操作に対する集中力や注意力が低下するのを抑えるために、再生中のコンテンツの情報出力を中止する。しかしながら、運転操作に対する集中力や注意力が低下する要因は、運転負荷だけでなく、再生中のコンテンツの内容と大きく関係している。例えば、運転者が再生中のコンテンツの内容に非常に興味を示す可能性があるときには、運転者がコンテンツの内容に集中し、運転操作に対する集中力や注意力が低下することが考えられる。この結果、従来例の技術では、運転操作に対する集中力や注意力が低下することをある程度抑えることができるが、再生中のコンテンツの内容に基づき、運転操作に対する集中力や注意力が低下することを抑えることができなかった。こうした状況は、安全運転の観点から好ましくない。
【０００７】
このため、再生中のコンテンツの内容に応じてコンテンツの出力態様を変化させるようにして、安全運転に資することができる技術が望まれている。かかる要請に応えることが、本発明が解決すべき課題の一つとして挙げられる。
【課題を解決するための手段】
【０００８】
請求項１に記載の発明は、再生中のコンテンツの属性を取得する属性取得部と；前記属性に基づいて再生中のコンテンツが運転者に興味を持たせると評価される場合に、前記コンテンツの出力態様を変更させる制御を行う制御部と；を備えることを特徴とする再生装置である。
【０００９】
請求項７に記載の発明は、属性取得部と、制御部とを備える再生装置において使用される再生方法であって、前記属性取得部が、再生中のコンテンツの属性を取得する属性取得工程と；前記制御部が、前記属性に基づいて再生中のコンテンツが運転者に興味を持たせると評価される場合に、前記コンテンツの出力態様を変更させる制御を行う制御工程と；を備えることを特徴とする再生方法である。
【００１０】
請求項８に記載の発明は、再生装置が有するコンピュータに、請求項７に記載の再生方法を実行させる、ことを特徴とする再生プログラムである。
【００１１】
請求項９に記載の発明は、再生装置が有するコンピュータにより読み取り可能に、請求項８に記載の再生プログラムが記録されている、ことを特徴とする記録媒体である。
【図面の簡単な説明】
【００１２】
【図１】本発明の一実施形態に係る再生装置の設置環境を説明するための図である。
【図２】図１の再生装置の構成を概略的に示すブロック図である。
【図３】図２の処理ユニットの構成を示すブロック図である。
【図４】図３の処理制御部によるコンテンツの出力態様の変更制御処理を説明するためのフローチャートである。
【図５】図４の第１種出力制御処理を説明するためのフローチャートである。
【図６】図４の第２種出力制御処理を説明するためのフローチャートである。
【発明を実施するための形態】
【００１３】
以下、本発明の一実施形態を、図１〜図６を参照して説明する。なお、以下の説明及び図面においては、同一又は同等の要素には同一の符号を付し、重複する説明を省略する。
【００１４】
［構成］
図１には、一実施形態に係る再生装置１００の設置環境が示されている。図１に示されるように、再生装置１００は、車両ＣＲに配置されている。この車両ＣＲには、再生装置１００に加えて、ナビゲーション装置５００、ＧＰＳ（Global Positioning System）受信ユニット５５０及びセンサユニット５６０が配置されている。
【００１５】
上記のＧＰＳ受信ユニット５５０は、複数のＧＰＳ衛星から送信された電波の受信結果に基づいて、車両ＣＲの現在位置を算出する。また、ＧＰＳ受信ユニット５５０は、ＧＰＳ衛星から送出された日時情報に基づいて、現在時刻を計時する。これらの現在位置及び現在時刻に関する情報は、ＧＰＳデータとしてナビゲーション装置５００へ送られる。
【００１６】
上記のセンサユニット５６０は、車速センサ、加速度センサ等を備えて構成されている。センサユニット５６０が備える各種センサによる検出結果は、センサデータとしてナビゲーション装置５００へ送られる。
【００１７】
上記のナビゲーション装置５００は、車両ＣＲの運転を支援するための情報を運転者（以下、「利用者」とも記す）に提供する。ナビゲーション装置５００は、地図情報等のナビゲーション用情報を記憶した記憶装置を備えて構成されている。本実施形態では、当該地図情報には、事故多発エリアの情報が含まれている。そして、ナビゲーション装置５００は、ＧＰＳ受信ユニット５５０から送られたＧＰＳデータ、センサユニット５６０から送られたセンサデータに基づいて、記憶装置内のナビゲーション用情報を適宜参照し、利用者へのナビゲーション情報の提供処理を行う。こうしたナビゲーション情報の提供処理には、車両ＣＲが地図上のどこに位置するのかを算出するマップマッチング、及び、マップマッチング結果の利用者への提示等がある。また、本実施形態では、ナビゲーション装置５００は、ＧＰＳデータ、センサデータに基づいて、地図情報を参照して、安全運転に関する運転者の運転操作履歴を作成して、記憶装置に記憶するようになっている。
【００１８】
そして、ナビゲーション装置５００は、マップマッチング情報、当該マップマッチング情報から作成した地図画像データ、現在位置周辺の事故多発エリア情報、及び、現在位置周辺の運転操作履歴情報を、ナビ情報ＮＶＤとして、逐次、再生装置１００へ送る。
【００１９】
ここで、ナビゲーション装置５００から送られるナビ情報ＮＶＤを解析することにより、再生装置１００は、車両ＣＲが交差点に進入するかの判定、車両ＣＲがカーブ手前を走行しているかの判定を行うことができるようになっている。また、再生装置１００は、ナビ情報ＮＶＤを解析することにより、現在位置周辺が過去に標準運転を行わなかった位置の周辺かの判定、現在位置周辺が事故多発エリアであるかの判定を行うことができるようになっている。本実施形態では、標準運転とは、道路リンクを走行する際の予め定められた範囲の標準速度より速い速度で走行する運転や予め定められた範囲の標準加速度より大きい加速度で走行する運転等をいうものとする。
【００２０】
＜再生装置１００の構成＞
次に、上記の再生装置１００の構成について、説明する。
【００２１】
図２には、一実施形態に係る再生装置１００の概略的な構成がブロック図にて示されている。本実施形態では、再生装置１００は、地上デジタルテレビジョン放送波を受信して再生する再生装置となっている。
【００２２】
図２に示されるように、再生装置１００は、アンテナ１１０と、放送信号処理ユニット１２０と、無線通信ユニット１３０と、ナビ情報取得ユニット１３５と、切替ユニット１４０とを備えている。また、再生装置１００は、格納処理ユニット１５０と、記録ユニット１５５と、読出処理ユニット１６０とを備えている。さらに、再生装置１００は、入力ユニット１７０と、音出力ユニット１８０と、表示ユニット１８５と、処理ユニット１９０とを備えている。
【００２３】
上記のアンテナ１１０は、地上デジタルテレビジョン放送波を受信する。アンテナ１１０による受信結果は、信号ＲＦＳとして、放送信号処理ユニット１２０へ送られる。
【００２４】
上記の放送信号処理ユニット１２０は、アンテナ１１０から送られた受信信号ＲＦＳを受ける。また、放送信号処理ユニット１２０は、処理ユニット１９０から送られた選局指令ＣＳＬを受ける。そして、放送信号処理ユニット１２０は、選局指令ＣＳＬによって指定された選局チャンネルの受信信号を処理して、音声データ及び映像データを含む放送コンテンツデータＢＣＤを生成する。こうして生成された放送コンテンツデータＢＣＤは、切替ユニット１４０及び格納処理ユニット１５０へ送られる。
【００２５】
また、放送信号処理ユニット１２０は、放送コンテンツデータＢＣＤにおける映像データのシーンチェンジを検出する。そして、放送信号処理ユニット１２０は、当該シーンチェンジを検出すると、検出報告ＡＳＤを処理ユニット１９０へ送る。また、放送信号処理ユニット１２０は、選局している放送番組の番組名、番組内容などの番組に関する情報を含む信号ＤＢＤを処理ユニット１９０へ送る。
【００２６】
かかる機能を有する放送信号処理ユニット１２０は、ＲＦ処理ユニットと、再生処理ユニットとを備えて構成されている。ここで、ＲＦ処理ユニットは、選局すべき放送局の信号を受信信号ＲＦＳから抽出する選局処理を行い、所定の中間周波数帯の成分を有する中間周波信号を生成する。
【００２７】
再生処理ユニットは、ＲＦ処理ユニットから送られた中間周波信号に対して、ＯＦＤＭ（Orthogonal Frequency Division Multiplex）復調処理及び復号処理を施して、音声データ及び映像データを含む放送コンテンツデータＢＣＤを生成する。そして、再生処理ユニットは、当該放送コンテンツデータＢＣＤを切替ユニット１４０及び格納処理ユニット１５０へ送る。
【００２８】
また、再生処理ユニットは、放送コンテンツデータＢＣＤにおける映像データを解析して、映像のシーンチェンジを検出する。そして、再生処理ユニットは、当該シーンチェンジを検出すると、検出報告ＡＳＤを処理ユニット１９０へ送る。
【００２９】
また、再生処理ユニットは、復調信号から音声、番組映像、データ放送以外の復号結果を、信号ＤＢＤとして処理ユニット１９０へ送る。かかる信号ＤＢＤに含まれる情報としては、ＰＳＩ（Program Specific Information）及び共通運用ＳＩ（Service Information）（以下、「ＰＳＩ／ＳＩ」と呼ぶ）に含まれるＮＩＴ（Network Information Table）情報、ＥＩＴ（Event Information Table）情報等がある。ここで、ＮＩＴ情報には、地域識別情報、放送事業者等が記載されており、ＥＩＴ情報には、放送番組の番組名、放送日時、番組内容などの番組に関する情報が記載されている。
【００３０】
このように、放送信号処理ユニット１２０は、属性取得部の一部の機能を果たすようになっている。
【００３１】
上記の無線通信ユニット１３０は、不図示のアンテナ等を備えて構成されている。この無線通信ユニット１３０は、当該アンテナから受信した受信信号を処理して、処理ユニット１９０で処理可能なデジタルデータ信号に変換する。また、無線通信ユニット１３０は、処理ユニット１９０からの送信信号を処理して、無線信号に対応する信号に変換し、アンテナへ送る。
【００３２】
この無線通信ユニット１３０を利用し、放送番組の視聴率に関する情報等を提供する不図示の情報サーバから、放送番組の視聴率情報ＶＲＩを受信することができる。こうして受信された視聴率情報ＶＲＩは、処理ユニット１９０へ送られる。また、本実施形態では、無線通信ユニット１３０を利用し、番組案内表ＰＧＴを受信するようになっている。こうして受信された番組案内表ＰＧＴは、処理ユニット１９０へ送られる。このように、無線通信ユニット１３０は、属性取得部の一部の機能を果たすようになっている。
【００３３】
上記のナビ情報取得ユニット１３５は、ナビゲーション装置５００から送られたナビ情報ＮＶＤを取得する。こうして取得されたナビ情報ＮＶＤは、処理ユニット１９０へ送られる。このように、ナビ情報取得ユニット１３５は、状況取得部の機能を果たすようになっている。
【００３４】
上記の切替ユニット１４０は、放送信号処理ユニット１２０から送られた放送コンテンツデータＢＣＤを受ける。また、切替ユニット１４０は、読出処理ユニット１６０から送られた読出コンテンツデータＲＣＤを受ける。また、切替ユニット１４０は、処理ユニット１９０から送られた映像データＩＭＤを受ける。
【００３５】
そして、切替ユニット１４０は、処理ユニット１９０から送られた選択指令ＳＬＣに従って、放送コンテンツデータＢＣＤ、読出コンテンツデータＲＣＤ及び映像データＩＭＤのいずれかを選択する。こうして選択されたデータに音声データが含まれている場合には、当該音声データが、出力音声データＡＤＴとして音出力ユニット１８０へ送られる。また、こうして選択されたデータに含まれる映像データが、出力映像データＩＤＴとして表示ユニット１８５へ送られる。
【００３６】
ここで、放送コンテンツデータＢＣＤの音声データ及び映像データの双方の出力を行う旨の選択指令ＳＬＣを処理ユニット１９０から受けた場合には、切替ユニット１４０は、放送コンテンツデータＢＣＤの音声データを出力音声データＡＤＴとして、音出力ユニット１８０へ送り、放送コンテンツデータＢＣＤの映像データを出力映像データＩＤＴとして、表示ユニット１８５へ送る。
【００３７】
また、放送コンテンツデータＢＣＤの映像データのみの出力の停止する旨の選択指令ＳＬＣを受けた場合には、切替ユニット１４０は、放送コンテンツデータＢＣＤの音声データを出力音声データＡＤＴとして、音出力ユニット１８０へ送る。この場合には、表示ユニット１８５に映像が表示されない。さらに、放送コンテンツデータＢＣＤの音声データ及び映像データの双方の出力を停止する旨の選択指令ＳＬＣを受けた場合には、切替ユニット１４０は、音声データ及び映像データを音出力ユニット１８０及び表示ユニット１８５へ送らない。この場合には、音出力ユニット１８０から音声が出力されず、表示ユニット１８５に映像が表示されない。
【００３８】
また、読出コンテンツデータＲＣＤの音声データ及び映像データの双方の出力を行う旨の選択指令ＳＬＣを受けた場合には、切替ユニット１４０は、読出コンテンツデータＲＣＤの音声データを出力音声データＡＤＴとして、音出力ユニット１８０へ送り、読出コンテンツデータＲＣＤの映像データを出力映像データＩＤＴとして、表示ユニット１８５へ送る。
【００３９】
また、処理ユニット１９０から送られた映像データＩＭＤを出力する旨の選択指令ＳＬＣを受けた場合には、切替ユニット１４０は、映像データＩＭＤを出力映像データＩＤＴとして、表示ユニット１８５へ送る。切替ユニット１４０による処理の詳細については、後述する。
【００４０】
上記の格納処理ユニット１５０は、放送信号処理ユニット１２０から送られた放送コンテンツデータＢＣＤを受ける。また、格納処理ユニット１５０は、処理ユニット１９０から送られた録画制御指令ＳＴＣを受ける。そして、録画制御指令ＳＴＣが録画開始指令であった場合には、格納処理ユニット１５０は、放送信号処理部１２０から送られた放送コンテンツデータＢＣＤを、格納データＳＴＤとして、記録ユニット１５５へ送る。そして、格納処理ユニット１５０は、録画停止指令の録画制御指令ＳＴＣを受けると、記録ユニット１５５への放送コンテンツデータＢＣＤの録画処理を停止する。
【００４１】
上記の記録ユニット１５５は、不揮発性のランダムアクセス可能な記録媒体を備えて構成されている。こうした記録媒体としては、不揮発性の記憶素子、ＤＶＤ（Digital Versatile Disk）等が挙げられる。
【００４２】
記録ユニット１５５は、格納処理ユニット１５０から送られた格納データＳＴＤを受ける。そして、記録ユニット１５５は、当該格納データＳＴＤを不揮発性の記録媒体に記録する。ここで、記録ユニット１５５に記録されるデータは、読出処理ユニット１６０により読取可能となっている。すなわち、記録ユニット１５５は、記録部の機能を果たすようになっている。
【００４３】
上記の読出処理ユニット１６０は、処理ユニット１９０から送られた読出制御指令ＲＤＣを受ける。そして、読出制御指令ＲＤＣが読出開始指令であった場合には、読出処理ユニット１６０は、記録ユニット１５５内に格納されているデータを順次、読取データＲＤＤとして読み取る。そして、読出処理ユニット１６０は、読み取られた読取データＲＤＤを、読出コンテンツデータＲＣＤとして切替ユニット１４０へ送る。また、読出処理ユニット１６０は、読出停止指令の読出制御指令ＲＤＣを受けると、記録ユニット１５５内に格納されているデータの読出処理を停止する。
【００４４】
なお、読出処理ユニット１６０は、読出停止指令の読出制御指令ＲＤＣを受けた後に、再度、読出開始指令の読出制御指令ＲＤＣを受けた場合には、読み取りを停止した位置から、読み取っていないデータを読取データＲＤＤとして読み取るようになっている。
【００４５】
上記の入力ユニット１７０は、再生装置１００の本体部に設けられたキー部、及び／又はキー部を備えるリモート入力装置等により構成される。ここで、本体部に設けられたキー部としては、表示ユニット１８５の表示デバイスに設けられたタッチパネルを用いることができる。また、キー部を有する構成に代えて、又は併用して音声認識技術を利用して音声にて入力する構成を採用することもできる。
【００４６】
この入力ユニット１７０を利用者が操作することにより、再生装置１００の動作内容の設定や動作指令の入力が行われる。例えば、放送局を指定した選局指定等の運転者による入力が、入力ユニット１７０を利用して行われる。また、運転者による放送番組に関する検索ワードの入力が、入力ユニット１７０を利用して行われる。入力ユニット１７０への入力内容は、入力データＩＰＤとして、処理ユニット１９０へ送られる。
【００４７】
上記の音出力ユニット１８０は、（ｉ）切替ユニット１４０から送られた出力音声データＡＤＴをアナログ信号に変換するＤＡ（Digital to Analogue）変換器と、（ii）当該ＤＡ変換器から出力されたアナログ信号を増幅する増幅器と、（iii）増幅されたアナログ信号を音声に変換するスピーカとを備えて構成されている。この音出力ユニット１８０は、選局されているチャンネルの放送波に対応する放送音声等を再生出力する。
【００４８】
上記の表示ユニット１８５は、（ｉ）例えば、液晶パネル、有機ＥＬ（Electro Luminescence）パネル、ＰＤＰ（Plasma Display Panel）等の表示デバイスと、（ii）切替ユニット１４０から送られた出力映像データＩＤＴに基づいて、当該表示デバイスに画像を表示させる表示制御回路とを備えている。この表示ユニット１８５は、選局されているチャンネルの放送波に対応する放送映像等を再生表示する。
【００４９】
《処理ユニット１９０の構成》
上記の処理ユニット１９０の構成について、説明する。処理ユニット１９０は、図３に示されるように、情報記憶部１９１と、番組情報取得部１９２とを備えている。また、処理ユニット１９０は、処理制御部１９３を備えている。
【００５０】
上記の情報記憶部１９１は、不揮発性の記憶装置を備えて構成され、様々な情報データが記憶される。こうした情報データとしては、視聴履歴情報ＶＨＩ、番組検索情報ＳＨＩ、動画データＭＶＤ、番組案内表ＰＧＴ等が含まれている。情報記憶部１９１には、番組情報取得部１９２及び処理制御部１９３がアクセス可能となっている。
【００５１】
上記の視聴履歴情報ＶＨＩには、運転者が選局指定した放送番組の履歴に関する情報が記憶される。この視聴履歴情報ＶＨＩは、番組情報取得部１９２により生成・更新されるようになっている。
【００５２】
上記の番組検索情報ＳＨＩには、運転者が選局に際して放送番組の検索に用いたワード情報が記憶される。この番組検索情報ＳＨＩは、処理制御部１９３により生成・更新されるようになっている。
【００５３】
上記の動画データＭＶＤは、映像のみからなるコンテンツである。この動画データＭＶＤは、処理制御部１９３により読み取られるようになっている。本実施形態では、動画データＭＶＤの内容は、例えば、「しばらくお待ちください」といったメッセージ動画や運転者の気分を平穏にさせるような風景動画となっている。
【００５４】
上記の番組案内表ＰＧＴには、現在地域において提供される放送番組の番組名、サブタイトル、詳細案内、放送時間帯等の放送番組に関する情報が記憶される。本実施形態では、無線通信ユニット１３０によって受信された番組案内表ＰＧＴを、処理制御部１９３が、情報記憶部１９１に格納するようになっている。
【００５５】
上記の番組情報取得部１９２は、放送信号処理ユニット１２０から送られた信号ＤＢＤを受ける。そして、番組情報取得部１９２は、信号ＤＢＤに含まれるＥＩＴ情報から、運転者が現在選局指定している放送番組の番組名、番組内容などを含んだ番組に関する情報を抽出する。こうして抽出された番組に関する情報は、番組情報ＰＧＩとして、処理制御部１９３へ送られる。
【００５６】
また、番組情報取得部１９２は、ＥＩＴ情報に基づいて、視聴履歴情報ＶＨＩを生成・更新する。そして、番組情報取得部１９２は、生成・更新された視聴履歴情報ＶＨＩを情報記憶部１９１内に記憶させる。このように、番組情報取得部１９２は、属性取得部の一部の機能を果たすようになっている。
【００５７】
上記の処理制御部１９３は、様々な処理を行うとともに、再生装置１００の全体の動作を制御する。この処理制御部１９３により行われる処理には、運転者による放送局の選局指定に対応した選局処理が含まれる。また、処理制御部１９３により行われる処理には、再生中の放送コンテンツの属性を取得し、当該属性が運転者に興味を持たせる属性であるか否かを評価する属性評価処理が含まれている。さらに、処理制御部１９３により行われる処理には、運転者の負荷に関する運転状況を取得し、当該運転状況が運転者の負荷が高い状況であるか否かを評価する状況評価処理が含まれている。
【００５８】
また、処理制御部１９３により行われる処理には、属性評価処理の結果及び状況評価処理の結果に基づく、コンテンツの出力態様の変更制御処理が含まれている。さらに、処理制御部１９３により行われる処理には、コンテンツの記録制御処理等が含まれている。
【００５９】
（選局処理）
選局処理に際して、入力ユニット１７０から送られた選局指定を受けると、処理制御部１９３は、選局指定により指定された放送局に対応する選局指令ＣＳＬを生成する。そして、処理制御部１９３は、生成された選局指令ＣＳＬを放送信号処理ユニット１２０へ送る。
【００６０】
本実施形態では、選局処理に際して、運転者が入力ユニット１７０に入力した放送番組の番組名等の放送番組に関する検索ワードによって、処理制御部１９３が、情報記憶部１９１内の番組案内表ＰＧＴを参照した選局処理も行えるようになっている。そして、運転者が入力ユニット１７０に入力した検索ワードは、処理制御部１９３によって、番組検索情報ＳＨＩに記憶されるようになっている。
【００６１】
（属性評価処理）
本実施形態では、運転者の放送コンテンツに対する興味の評価は、「レベル０」、「レベル１」及び「レベル２」の３段階で行われる。ここで、「レベル０」は、運転者の放送コンテンツに対する興味の程度が低いと評価されたときに設定されるレベル値である。また、「レベル１」及び「レベル２」は、運転者の放送コンテンツに対する興味の程度が高いと評価されたときに設定されるレベル値である。なお、「レベル２」は、「レベル１」よりも高いレベル値である。そして、「レベル２」は、運転者の放送コンテンツに対する興味の程度がより高いと評価されるときに設定されるレベル値となっている。
【００６２】
属性評価処理に際して、処理制御部１９３は、番組情報取得部１９２から送られた番組情報ＰＧＩを受ける。そして、処理制御部１９３は、当該番組情報ＰＧＩ及び視聴履歴情報ＶＨＩに基づいて、運転者が現在選局指定している放送番組の視聴回数が所定視聴回数以上の場合に、「レベル２」で運転者が放送コンテンツの内容に興味を持っていると評価する。
【００６３】
ここで、所定視聴回数は、運転者が放送コンテンツの内容に非常に興味を示していると評価できるとの観点から、実験、シミュレーション、経験等に基づいて、予め定められている。
【００６４】
また、処理制御部１９３は、番組情報ＰＧＩ及び番組検索情報ＳＨＩに基づいて、運転者が現在選局指定している放送番組に関する情報に、検索ワードが含まれている場合に、「レベル２」で運転者が放送コンテンツの内容に興味を持っていると評価する。
【００６５】
また、属性評価処理に際して、処理制御部１９３は、無線通信ユニット１３０から送られた視聴率情報ＶＲＩを受ける。そして、処理制御部１９３は、番組情報ＰＧＩ及び視聴率情報ＶＲＩに基づいて、運転者が現在選局指定している放送番組の視聴率が所定値以上の場合に、「レベル１」で運転者が放送コンテンツの内容に興味を示すと評価する。ここで、所定値は、運転者が放送コンテンツの内容に一般に興味を示すと評価できるとの観点から、実験、シミュレーション、経験等に基づいて、予め定められている。
【００６６】
また、処理制御部１９３は、放送信号処理ユニット１２０から送られる検出報告ＡＳＤの頻度に基づき、映像のシーンチェンジの頻度を算出する。そして、処理制御部１９３は、所定時間当たりの映像のシーンチェンジの回数が、所定チェンジ回数以上の場合に、「レベル１」で運転者が放送コンテンツの内容に興味を示すと評価する。また、本実施形態では、処理制御部１９３は、番組情報ＰＧＩに基づいて、運転者が現在選局指定している放送番組が「スポーツ番組」の場合に、「レベル１」で運転者が放送コンテンツの内容に興味を示すと評価する。
【００６７】
また、処理制御部１９３は、「レベル１」及び「レベル２」と評価する場合以外については、「レベル０」を設定するようになっている。本実施形態では、例えば、運転者が現在選局指定している放送番組が「娯楽番組」の場合に、「レベル０」と評価される。
【００６８】
このように、本実施形態では、運転者の放送番組の視聴回数や検索した放送番組を選局指定している等の運転者の強い興味によって選局指定していると想定される放送番組については、運転者の放送コンテンツに対する興味の程度を高くしている。
【００６９】
（状況評価処理）
本実施形態では、運転者の運転負荷の評価は、「レベルＡ」、「レベルＢ」及び「レベルＸ」の３段階で行われる。ここで、「レベルＡ」及び「レベルＢ」は、運転者の運転負荷が高いと評価されたときに設定されるレベル値である。また、「レベルＸ」は、運転者の運転負荷が低いと評価されたときに設定されるレベル値である。なお、「レベルＡ」は、「レベルＢ」よりも高いレベル値である。そして、「レベルＡ」は、運転者の運転負荷の程度がより高いと評価されるときに設定されるレベル値となっている。
【００７０】
状況評価処理に際して、処理制御部１９３は、ナビ情報取得ユニット１３５から送られたナビ情報ＮＶＤを受ける。そして、処理制御部１９３は、当該ナビ情報ＮＶＤを解析して、現在位置周辺が過去に標準運転を行わなかった位置の周辺であると判定した場合に、「レベルＡ」で運転者の運転負荷が高いと評価する。また、処理制御部１９３は、ナビ情報ＮＶＤを解析して、現在位置周辺が事故多発エリアであると判定した場合に、「レベルＡ」で運転者の運転負荷が高いと評価する。
【００７１】
さらに、処理制御部１９３は、ナビ情報ＮＶＤを解析して、車両ＣＲが交差点に進入すると判定した場合に、「レベルＢ」で運転者の運転負荷が高いと評価する。また、処理制御部１９３は、ナビ情報ＮＶＤを解析して、車両ＣＲがカーブ手前を走行していると判定した場合に、「レベルＢ」で運転者の運転負荷が高いと評価する。
【００７２】
また、処理制御部１９３は、「レベルＡ」及び「レベルＢ」と評価する場合以外については、「レベルＸ」を設定するようになっている。本実施形態では、例えば、車両ＣＲが駐車場に停車している場合、「レベルＸ」と評価される。
【００７３】
このように、本実施形態では、交差点侵入やカーブ走行等の通常運転で頻繁に発生する一時的な運転負荷については、運転者の運転負荷の程度を低くしている。
【００７４】
（コンテンツの出力態様の変更制御処理及びコンテンツの記録制御処理）
コンテンツの出力態様の変更制御処理に際して、運転者の放送コンテンツに対する興味の程度が「レベル２」のときには、処理制御部１９３は、放送コンテンツデータＢＣＤの音声データ及び映像データの双方の出力を停止する旨の選択指令ＳＬＣを生成して、切替ユニット１４０へ送る。また、運転者の放送コンテンツの興味の程度が「レベル２」のときには、処理制御部１９３は、録画開始指令の録画制御指令ＳＴＣを生成して、格納処理ユニット１５０へ送る。
【００７５】
また、運転者の放送コンテンツに対する興味の程度が「レベル１」のときには、処理制御部１９３は、放送コンテンツデータＢＣＤの映像データの出力を停止する旨の選択指令ＳＬＣを生成して、切替ユニット１４０へ送る。また、運転者の放送コンテンツに対する興味の程度が「レベル１」のときには、処理制御部１９３は、録画開始指令の録画制御指令ＳＴＣを生成して、格納処理ユニット１５０へ送る。
【００７６】
また、コンテンツの出力態様の変更制御処理に際して、再生中の放送コンテンツが運転者に興味を持たせないと評価され、かつ、運転者の運転負荷の程度が「レベルＡ」のときには、処理制御部１９３は、ナビ情報取得ユニット１３５から送られた地図画像データを、映像データＩＭＤとして切替ユニット１４０へ送る。そして、処理制御部１９３は、地図画像データである映像データＩＭＤを出力する旨の選択指令ＳＬＣを生成する。こうして生成された選択指令ＳＬＣは、切替ユニット１４０へ送られる。
【００７７】
さらに、コンテンツの出力態様の変更制御処理に際して、再生中のコンテンツが運転者に興味を持たせないと評価され、かつ、運転者の運転負荷の程度が「レベルＢ」のときには、処理制御部１９３は、情報記憶部１９１の動画データＭＶＤを、映像データＩＭＤとして切替ユニット１４０へ送る。そして、処理制御部１９３は、予め用意した動画データである映像データＩＭＤを出力する旨の選択指令ＳＬＣを生成する。こうして生成された選択指令ＳＬＣは、切替ユニット１４０へ送られる。
【００７８】
また、処理制御部１９３は、放送コンテンツの録画を行う録画制御処理を行った場合に、現在選局指定されている放送コンテンツが運転者に興味を持たせないと評価され、かつ、運転者の運転負荷の程度が低い状況である評価されたときに、処理制御部１９３は、読出開始指令の読出制御指令ＲＤＣを生成して、読出処理ユニット１６０へ送る。そして、処理制御部１９３は、読出コンテンツデータＲＣＤの音声データ及び映像データの双方の出力を行う旨の選択指令ＳＬＣを生成して、切替ユニット１４０へ送る。
【００７９】
このように、処理制御部１９３は、属性取得部の一部、属性評価部、状況評価部及び制御部の機能を果たすようになっている。処理制御部１９３による処理の詳細については、後述する。
【００８０】
［動作］
以上のようにして構成された再生装置１００の動作について、コンテンツの出力態様の変更制御処理に主に着目して説明する。
【００８１】
前提として、ナビ情報取得ユニット１３５からは、ナビ情報ＮＶＤが、処理制御部１９３へ逐次送られているものとする。また、無線通信ユニット１３０からは、視聴率情報ＶＲＩが、処理制御部１９３へ送られているものとする。さらに、選局指令ＣＳＬが、放送信号処理ユニット１２０へ送られているものとする。
【００８２】
再生装置１００では、こうした状態で、アンテナ１１０で放送波を受信すると、受信信号ＲＦＳが、アンテナ１１０から放送信号処理ユニット１２０へ送られる。放送信号処理ユニット１２０は、選局指令ＣＳＬに従い、指定された選局チャンネルの受信信号を処理して、放送コンテンツデータＢＣＤを生成する。そして、放送信号処理ユニット１２０は、生成された放送コンテンツデータＢＣＤを切替ユニット１４０及び格納処理ユニット１５０へ送る。また、放送信号処理ユニット１２０は、放送コンテンツデータＢＣＤにおける映像データのシーンチェンジを検出すると、検出報告ＡＳＤを処理ユニット１９０の処理制御部１９３へ送る。
【００８３】
また、放送信号処理ユニット１２０は、選局している放送番組の番組名、番組内容などの番組に関する情報を含む信号ＤＢＤを処理ユニット１９０へ送る。処理ユニット１９０では、番組情報取得部１９２が、信号ＤＢＤに含まれるＥＩＴ情報から、運転者が現在選局指定している放送番組の番組名、番組内容などを含んだ番組に関する情報を抽出する。次いで、番組情報取得部１９２が、抽出された番組に関する情報を、番組情報ＰＧＩとして処理制御部１９３へ送る。
【００８４】
そして、処理制御部１９３が、番組情報ＰＧＩ、視聴履歴情報ＶＨＩ、番組検索情報ＳＨＩ、視聴率情報ＶＲＩ及び放送コンテンツの映像のシーンチェンジの検出報告ＡＳＤの解析結果に基づいて、逐次、上述した属性評価処理を行っているものとする。また、処理制御部１９３は、ナビ情報ＮＶＤに基づいて、逐次、上述した状況評価処理を行っているものとする。
【００８５】
このような状況のもとで、図４に示されるように、まず、ステップＳ１１において、処理制御部１９３が、属性評価処理の結果に基づいて、現在選局指定されている放送コンテンツが運転者に興味を持たせるコンテンツであるか否かを判定する。本実施形態では、かかる判定に際して、運転者の放送コンテンツに対する興味の程度を示すレベルが「レベル２」又は「レベル１」であった場合に、処理制御部１９３は、ステップＳ１１の処理において、肯定的であると判定するようになっている。この判定の結果が肯定的であった場合（ステップＳ１１：Ｙ）には、処理はステップＳ１２へ進む。
【００８６】
ステップＳ１２では、処理制御部１９３が、「第１種出力制御処理」を行う。かかるステップＳ１２の処理の詳細については、後述する。そして、ステップＳ１２の処理が終了すると、ステップＳ１３へ進む。
【００８７】
ステップＳ１３では、処理制御部１９３が、録画開始指令の録画制御指令ＳＴＣを生成し、格納処理ユニット１５０へ送っているか否かを判定する。この判定の結果が肯定的であった場合（ステップＳ１３：Ｙ）には、処理はステップＳ１１へ戻る。ステップＳ１３における判定の結果が否定的であった場合（ステップＳ１３：Ｎ）には、処理はステップＳ１４へ進む。ステップＳ１４では、処理制御部１９３が、録画開始指令の録画制御指令ＳＴＣを生成して、格納処理ユニット１５０へ送る。この結果、格納処理ユニット１５０による放送コンテンツデータの記録ユニット１５５への録画処理が行われる。この後、処理はステップＳ１１へ戻る。
【００８８】
なお、録画開始指令の録画制御指令ＳＴＣを格納処理ユニット１５０へ送った場合には、処理制御部１９３は、現在選局指定されている放送番組の放送終了時刻になると、録画停止指令の録画制御指令ＳＴＣを格納処理ユニット１５０へ送るようになっている。
【００８９】
上述したステップＳ１１における判定の結果が否定的であった場合（ステップＳ１１：Ｎ）、すなわち、運転者の放送コンテンツに対する興味の程度を示すレベルが「レベル０」であった場合には、処理はステップＳ１５へ進む。ステップＳ１５では、処理制御部１９３が、状況評価処理の結果に基づいて、現在の状況が運転者の運転負荷が高い状況であるか否かを判定する。本実施形態では、かかる判定に際して、運転者の運転負荷の程度を示すレベルが「レベルＡ」又は「レベルＢ」であった場合に、処理制御部１９３は、ステップＳ１５の処理において、肯定的であると判定するようになっている。この判定の結果が肯定的であった場合（ステップＳ１５：Ｙ）には、処理はステップＳ１６へ進む。
【００９０】
ステップＳ１６では、処理制御部１９３が、「第２種出力制御処理」を行う。かかるステップＳ１６の処理の詳細については、後述する。そして、ステップＳ１６の処理が終了すると、ステップＳ１１へ戻る。
【００９１】
ステップＳ１５における判定の結果が否定的であった場合（ステップＳ１５：Ｎ）、すなわち、例えば、車両ＣＲが駐車場に停車している場合等で運転者の運転負荷の程度を示すレベルが「レベルＸ」であった場合には、処理はステップＳ１７へ進む。ステップＳ１７では、処理制御部１９３が、記録ユニット１５５に記録されている未再生のコンテンツデータがあるか否かを判定する。この判定の結果が否定的であった場合（ステップＳ１７：Ｎ）には、処理はステップＳ１８へ進む。
【００９２】
ステップＳ１８では、処理制御部１９３が、通常出力制御を行う。かかる通常出力制御に際して、処理制御部１９３は、放送コンテンツデータＢＣＤの音声データ及び映像データを選択すべき旨の選択指令ＳＬＣを生成して、切替ユニット１４０へ送る。この結果、放送コンテンツデータＢＣＤの音声データが出力音声データＡＤＴとして音出力ユニット１８０へ送られ、放送コンテンツデータＢＣＤの映像データが出力映像データＩＤＴとして表示ユニット１８５へ送られる。この後、処理はステップＳ１１へ戻る。
【００９３】
ステップＳ１７における判定の結果が肯定的であった場合（ステップＳ１７：Ｙ）には、処理はステップＳ１９へ進む。ステップＳ１９では、処理制御部１９３が、読出開始指令の読出制御指令ＲＤＣを生成して、読出処理ユニット１６０へ送っているか否かを判定する。この判定の結果が肯定的であった場合（ステップＳ１９：Ｙ）には、処理はステップＳ１１へ戻る。ステップＳ１９における判定の結果が否定的であった場合（ステップＳ１９：Ｎ）には、処理はステップＳ２０へ進む。
【００９４】
ステップＳ２０では、処理制御部１９３が、未再生録画データの出力制御を行う。かかる制御に際して、処理制御部１９３は、まず、読出開始指令の読出制御指令ＲＤＣを生成して、当該読出制御指令ＲＤＣを読出処理ユニット１６０へ送る。この結果、読出処理ユニット１６０によって読み出された記録ユニット１５５のコンテンツデータが、読出コンテンツデータＲＣＤとして、切替ユニット１４０へ送られる。また、未再生録画データの出力制御に際して、処理制御部１９３は、読出コンテンツデータＲＣＤの音声データ及び映像データを選択すべき旨の選択指令ＳＬＣを生成して、切替ユニット１４０へ送る。この結果、読出コンテンツデータＲＣＤの音声データが出力音声データＡＤＴとして音出力ユニット１８０へ送られ、読出コンテンツデータＲＣＤの映像データが出力映像データＩＤＴとして表示ユニット１８５へ送られる。この後、処理はステップＳ１１へ戻る。
【００９５】
なお、処理制御部１９３が、読出開始指令の読出制御指令ＲＤＣを生成して、読出処理ユニット１６０へ送った後に、ステップＳ１１における判定の結果が肯定的、ステップＳ１５における判定の結果が肯定的、又は、ステップＳ１７における判定の結果が否定的になると、処理制御部１９３は、読取停止指令の録画制御指令ＳＴＣを読出処理ユニット１６０へ送るようになっている。
【００９６】
＜第１種出力制御処理＞
上述したステップＳ１２における「第１種出力制御処理」について、説明する。
【００９７】
この「第１種出力制御処理」は、図５に示されるように、まず、ステップＳ２１において、処理制御部１９３が、運転者の放送コンテンツに対する興味の程度を示すレベルが「レベル２」であるか否かを判定する。この判定の結果が肯定的であった場合（ステップＳ２１：Ｙ）には、処理はステップＳ２２へ進む。ステップＳ２２では、処理制御部１９３が、放送コンテンツデータＢＣＤの音声データ及び映像データの双方の出力を停止する旨の選択指令ＳＬＣを生成して、切替ユニット１４０へ送る。この結果、音出力ユニット１８０から音声が出力されず、表示ユニット１８５に映像が表示されない。
【００９８】
ステップＳ２２の処理が終了すると、ステップＳ１２の処理が終了する。そして、処理は上述した図４のステップＳ１３へ進む。
【００９９】
ステップＳ２１における判定の結果が否定的であった場合（ステップＳ２１：Ｎ）、すなわち、運転者の放送コンテンツに対する興味の程度を示すレベルが「レベル１」であった場合には、処理はステップＳ２３へ進む。ステップＳ２３では、処理制御部１９３が、放送コンテンツデータＢＣＤの映像データのみの出力を停止する旨の選択指令ＳＬＣを生成して、切替ユニット１４０へ送る。この結果、音出力ユニット１８０から音声が出力されるが、表示ユニット１８５に映像が表示されない。
【０１００】
ステップＳ２３の処理が終了すると、ステップＳ１２の処理が終了する。そして、処理は上述した図４のステップＳ１３へ進む。
【０１０１】
＜第２種出力制御処理＞
上述したステップＳ１６における「第２種出力制御処理」について、説明する。
【０１０２】
この「第２種出力制御処理」は、図６に示されるように、まず、ステップＳ３１において、処理制御部１９３が、運転者の運転負荷の程度を示すレベルが「レベルＡ」であるか否かを判定する。この判定の結果が肯定的であった場合（ステップＳ３１：Ｙ）には、処理はステップＳ３２へ進む。ステップＳ３２では、処理制御部１９３が、まず、ナビ情報取得ユニット１３５から送られた地図画像データを、映像データＩＭＤとして切替ユニット１４０へ送る。次いで、処理制御部１９３は、映像データＩＭＤを出力する旨の選択指令ＳＬＣを生成して、切替ユニット１４０へ送る。この結果、表示ユニット１８５に地図画像が表示される。
【０１０３】
ステップＳ３２の処理が終了すると、ステップＳ１６の処理が終了する。そして、処理は上述した図４のステップＳ１１へ戻る。
【０１０４】
ステップＳ３１における判定の結果が否定的であった場合（ステップＳ３１：Ｎ）、すなわち、運転者の運転負荷の程度を示すレベルが「レベルＢ」であった場合には、処理はステップＳ３３へ進む。ステップＳ３３では、処理制御部１９３が、まず、情報記憶部１９１の動画データＭＶＤを、映像データＩＭＤとして切替ユニット１４０へ送る。次いで、処理制御部１９３は、予め用意した動画データである映像データＩＭＤを出力する旨の選択指令ＳＬＣを生成して、切替ユニット１４０へ送る。この結果、表示ユニット１８５に予め用意した動画が表示される。
【０１０５】
ステップＳ３３の処理が終了すると、ステップＳ１６の処理が終了する。そして、処理は上述した図４のステップＳ１１へ戻る。
【０１０６】
以上説明したように、本実施形態では、選局指定されている放送コンテンツについての番組情報ＰＧＩ、運転者の視聴履歴情報ＶＨＩ、運転者の番組検索情報ＳＨＩ、視聴率情報ＶＲＩ及び放送コンテンツの映像のシーンチェンジの検出報告ＡＳＤの解析結果に基づいて、処理制御部１９３が、現在選局指定されている放送コンテンツが運転者に興味を持たせるコンテンツであるかを判定する。そして、運転者の放送コンテンツに対する興味の程度を示すレベルが「レベル２」であった場合には、処理制御部１９３は、放送コンテンツデータＢＣＤの音声データ及び映像データの双方の出力を停止する旨の選択指令ＳＬＣを生成して、切替ユニット１４０へ送る。この結果、音出力ユニット１８０から音声が出力されず、表示ユニット１８５に映像が表示されない。
【０１０７】
また、運転者の放送コンテンツに対する興味の程度を示すレベルがレベル２よりも低い「レベル１」であった場合には、処理制御部１９３は、放送コンテンツデータＢＣＤの映像データのみの出力を停止する旨の選択指令ＳＬＣを生成して、切替ユニット１４０へ送る。この結果、音出力ユニット１８０から音声が出力されるが、表示ユニット１８５に映像が表示されない。
【０１０８】
このため、本実施形態では、再生中のコンテンツの内容に応じて、運転者の放送コンテンツに対する興味の程度を示すレベルが高いほど、コンテンツの出力態様を抑制させることができる。また、本実施形態では、運転者が興味を示している放送コンテンツについては、車両走行中に映像出力を行わないため、運転者が興味を示している放送コンテンツの出力が突然中止されるといったときに発生する運転者に不快感を与えることはない。
【０１０９】
また、本実施形態では、ナビゲーション装置５００から送られたナビ情報データＮＶＤに基づいて、処理制御部１９３が、運転者の運転負荷が高い状況であるかを判定する。そして、運転者の運転負荷の程度を示すレベルが「レベルＡ」であった場合には、処理制御部１９３は、放送コンテンツの出力を停止して、地図画像を出力する選択指令ＳＬＣを生成して、切替ユニット１４０へ送る。また、運転者の運転負荷の程度を示すレベルがレベルＡよりも低い「レベルＢ」であった場合には、処理制御部１９３は、放送コンテンツの出力を停止して、予め用意した動画を出力する選択指令ＳＬＣを生成して、切替ユニット１４０へ送る。
【０１１０】
このため、本実施形態では、再生中のコンテンツの内容に加えて、運転者の運転負荷に応じて、コンテンツの出力態様を変化させることができる。
【０１１１】
また、本実施形態では、放送コンテンツデータＢＣＤの映像データの出力を停止する場合には、放送コンテンツデータＢＣＤを記録ユニット１５５に記録する。そして、再生中の放送コンテンツが運転者に興味を持たせないと評価され、かつ、運転者の運転負荷が低いと評価される場合に、停止した放送コンテンツを再生する。このため、本実施形態では、利用者の利便性も向上させることができる。
【０１１２】
したがって、本実施形態によれば、再生中のコンテンツの内容に応じてコンテンツの出力態様を変化させて、安全運転に資することができる。
【０１１３】
［実施形態の変形］
本発明は、上記の実施形態に限定されるものではなく、様々な変形が可能である。
【０１１４】
例えば、上記の実施形態では、運転者の放送コンテンツに対する興味の程度、及び、運転者の運転負荷の程度に基づいて、コンテンツの出力態様を変化させた。これに対して、運転者の運転負荷の程度のみに基づいて、コンテンツの出力態様を変化させるようにしてもよい。
【０１１５】
また、上記の実施形態では、運転者の放送コンテンツに対する興味の程度が高い場合に、「放送コンテンツデータの音声及び映像の双方の出力を停止する」出力抑制と、「放送コンテンツデータの映像のみの出力を停止する」出力抑制の２通りの出力抑制を行った。これに対して、上述した２通りの出力抑制に加えて、「放送コンテンツデータの音声のみの出力を停止する」出力抑制を行うようにしてもよい。この場合には、表示装置が後部座席用に設置されている場合に、後部座席の搭乗者が放送コンテンツの映像を視ることを可能としつつ、運転者に対しては放送コンテンツの音声を聴こえないようにすることができる。
【０１１６】
また、上記の実施形態では、「選局指定している放送番組の視聴回数が所定視聴回数以上の場合」、「選局指定している放送番組に関する情報に、検索ワードが含まれている場合」、「選局指定している放送番組の視聴率が所定値以上の場合」、「放送コンテンツの映像のシーンチェンジの頻度が高い場合」及び「選局指定している放送番組がスポーツ番組」の場合に、運転者が放送コンテンツの内容に興味を持つと評価した。これらは、例示であって、例えば、放送番組が「クイズ番組」である等、放送コンテンツの他の属性から、運転者が放送コンテンツの内容に興味を持つか否かを判定してもよいことは勿論である。
【０１１７】
また、上記の実施形態では、「車両が交差点に進入する場合」、「車両がカーブ手前を走行している場合」、「現在位置周辺が過去に標準運転を行わなかった位置の周辺である場合」及び「現在位置周辺が事故多発エリアである場合」に、運転者の運転負荷が高いと評価した。
【０１１８】
これに加えて、例えば、「走行位置が人混み付近の場合」、「路面状態が良好でない場合」、「天候が良好でない場合」、「運転者の健康状態が良好でない場合」、「道に迷った等の理由により運転者の視線が前方を向いていない場合」等に、運転者の運転負荷が高いと評価するようにしてもよい。
【０１１９】
ここで、「走行位置が人混み付近の場合」であるかについては、車載カメラを備えることにより検出可能となる。また、「路面状態が良好でない場合」であるかについては、路面に対するスリップ率を推定する装置を備えることにより検出可能となる。また、「天候が良好でない場合」であるかについては、情報サーバから天候情報を取得することができる。
【０１２０】
また、「運転者の健康状態が良好でない場合」であるかについては、体温、脈拍等を計測する健康器具を利用して、検出可能となる。また、「運転者の視線が前方を向いていない場合」であるかについては、カメラを車内に設置することにより、検出可能となる。
【０１２１】
また、上記の実施形態では、放送コンテンツデータの映像データの出力を停止する場合には、放送コンテンツデータを記録ユニットに記録する。そして、再生中の放送コンテンツが運転者に興味を持たせないと評価され、かつ、運転者の運転負荷が低いと評価される場合に、停止した放送コンテンツをタイムシフト再生することとした。
【０１２２】
これに対して、停止した放送コンテンツのタイムシフト再生を行わずに、記録ユニットの媒体がＤＶＤである場合には、当該ＤＶＤを自宅に持ち帰って、自宅の再生装置で再生するようにしてもよい。また、無線通信を利用して、記録ユニットに記録したデータを自宅の再生装置に送信するようにしてもよい。また、記録ユニットへの録画処理を行わないようにしてもよい。
【０１２３】
また、上記の実施形態では、情報記憶部には動画データが記憶されるとしたが、当該動画データに代えて静止画像データを情報記憶部に記憶させるようにしてもよい。
【０１２４】
また、上記の実施形態では、車両に搭載される再生装置に本発明を適用したが、車両以外の他の移動体に搭載される再生装置にも本発明を適用することもできる。
【０１２５】
また、本発明は、地上デジタルテレビジョン放送波を受信する再生装置に限らず、ＢＳ（Broadcasting Satellite）デジタル放送やＣＳ（Communication Satellite）放送等の放送波を受信する再生装置に適用することができるのは勿論である。
【０１２６】
上記の処理制御部の一部又は全部を中央処理装置（ＣＰＵ：Central Processing Unit）等を備えた演算手段としてのコンピュータとして構成し、予め用意されたプログラムを当該コンピュータで実行することにより、上記の実施形態における処理制御部の機能を実現するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【０１２７】
１００  …  再生装置
１２０  …  放送信号処理ユニット（属性取得部の一部）
１３０  …  無線通信ユニット（属性取得部の一部）
１３５  …  ナビ情報取得ユニット（状況取得部）
１５５  …  記録ユニット（記録部）
１９２  …  番組情報取得部（属性取得部の一部）
１９３  …  処理制御部（属性取得部の一部、属性評価部、状況評価部、制御部）
【図１】
2017175549.tif 000003
【図２】
2017175549.tif 000004
【図３】
2017175549.tif 000005
【図４】
2017175549.tif 000006
【図５】
2017175549.tif 000007
【図６】
2017175549.tif 000008